(57)【要約】【課題】同じベンダーの複数の電子機器へ、それぞれ異なるリモコンコードのセットを自動で設定することを可能とする装置を提供する。【解決手段】  所定のタイミングで、相手機器のベンダー名を要求する要求信号を、通信手段を介して送信し、この要求信号応じて返信された信号で通知されたベンダー名が自機のベンダー名と同じだったら、相手機器のリモコンコードのセットを、自機に設定しているリモコンコードのセットと異なるものに切換えるための要求信号を相手機器に送信する。【選択図】  図３
2011193234.tif 000002
【特許請求の範囲】
【請求項１】
遠隔操作情報切換装置であって、
一の前記遠隔操作情報切換装置に対応する一の電子機器が備える各機能を遠隔操作するための、前記各機能に対応した各遠隔操作情報で構成される遠隔操作情報セットを、この遠隔操作情報セットを識別するための識別情報とともに、異なる体系で複数記憶する記憶手段と、
前記記憶手段に記憶された複数の前記遠隔操作情報セットのうちの１つを前記一の電子機器に設定する設定手段と、
他の電子機器に対応する他の前記遠隔操作情報切換装置と通信する通信手段と、
所定のタイミングで、前記他の電子機器のベンダー名を要求するベンダー名要求信号を、前記他の遠隔操作情報切換装置へ前記通信部を介して送信する第１の送信手段と、
前記ベンダー名要求信号に応じて前記他の遠隔操作情報切換装置から返信されるベンダー名通知信号を、前記通信手段を介して受信する受信手段と、
前記ベンダー名通知信号で通知された前記他の電子機器のベンダー名が、前記一の電子機器のベンダー名と一致しているか否かを判断する判断手段と、
前記判断手段が一致していると判断した場合、前記他の電子機器に設定されている前記遠隔操作情報セットを切換えるために、前記記憶手段に記憶している前記複数の遠隔操作情報セットのうち、前記一の電子機器に設定している遠隔操作情報セット以外の遠隔操作情報セットの識別情報を付加した遠隔操作情報セット切換要求信号を、前記他の遠隔操作情報切換装置へ前記通信手段を介して送信する第２の送信手段と、
を備えることを特徴とする遠隔操作情報切換装置。
【請求項２】
遠隔操作情報切換装置であって、
一の前記遠隔操作情報切換装置に対応する一の電子機器が備える各機能を遠隔操作するための、前記各機能に対応した各遠隔操作情報で構成される遠隔操作情報セットを、この遠隔操作情報セットを識別するための識別情報とともに、異なる体系で複数記憶する記憶手段と、
前記記憶手段に記憶された複数の前記遠隔操作情報セットのうちの１つを前記一の電子機器に設定する設定手段と、
他の電子機器に対応する他の遠隔操作情報切換装置と通信する通信手段と、
前記一の電子機器のベンダー名を要求するベンダー名要求信号を、前記他の電子機器から前記通信手段を介して受信する第１の受信手段と、
前記ベンダー名要求信号に応じて、前記一の電子機器のベンダー名を通知するベンダー名通知信号を、前記他の遠隔操作情報切換装置へ前記通信手段を介して送信する送信手段と、
前記一の電子機器に設定している遠隔操作情報セットを切換えるための遠隔操作情報セット切換要求信号を、前記他の遠隔操作情報切換装置から前記通信手段を介して受信する第２の受信手段と、
前記一の電子機器に設定している遠隔操作情報セットを、前記記憶手段に記憶している複数の遠隔操作情報セットのうちの、前記遠隔操作情報セット切換要求信号に付加された識別情報に対応する前記遠隔操作情報セットに切換える切換手段と、
を備えることを特徴とする遠隔操作情報切換装置。
【発明の詳細な説明】
【技術分野】
【０００１】
本発明は、電子機器をリモコンで遠隔操作する際に使用されるリモコンコードのセットを自動で設定する遠隔操作情報切換装置に関するものである。
【背景技術】
【０００２】
ユーザが同一の部屋で、同一ベンダー（製造会社）のＤＶＤ(Digital Versatile Disc)レコーダ等の電子機器を複数使用するケースはよくある。
【０００３】
この場合、同一ベンダーの電子機器は、遠隔操作情報として、同じ体系のリモコンコードのセット（以下コードセットと呼ぶ）を使用していることが多い。従って、２台並んで設置されている同一ベンダーのＤＶＤレコーダのうち、一方のＤＶＤレコーダを動作させようとユーザが考えて、そのＤＶＤレコーダ用のリモコンの電源ボタンを押しても、意図していない他方のＤＶＤレコーダの電源も入ってしまう、といったように２台のＤＶＤレコーダが同時に動作してしまう状況になることがある。
【０００４】
このようなリモコンコードの競合を避けるために、電子機器は、複数の異なる体系のコードセットを備えている場合が多い。
【０００５】
例えば、同一ベンダーの２台の電子機器がそれぞれ、コードセット「Ａ」とコードセット「Ｂ」という２種類の体系のコードセットを備えている場合、一方の電子機器と、この電子機器用のリモコンとをそれぞれコードセット「Ａ」に設定し、他方の電子機器と、この電子機器用のリモコンとをそれぞれコードセット「Ｂ」に設定すれば、同一ベンダーの電子機器であっても別々に操作することができる。
【０００６】
なお、リモコン操作に関する従来技術としては例えば特許文献１のようなものがある。
【先行技術文献】
【特許文献】
【０００７】
【特許文献１】特許第３８１８８０４号
【発明の概要】
【発明が解決しようとする課題】
【０００８】
従来、上記で説明したコードセットの設定操作をユーザに手動で行なわせる必要があった。
【０００９】
特に、電子機器本体へのコードセットの設定操作は、通常のリモコン操作とは異なる特殊な操作であり、ユーザにとって負担になるという課題があった。
【課題を解決するための手段】
【００１０】
上記課題を解決するために本発明は、下記の装置を提供するものである。
（１）遠隔操作情報切換装置であって、
一の前記遠隔操作情報切換装置に対応する一の電子機器が備える各機能を遠隔操作するための、前記各機能に対応した各遠隔操作情報で構成される遠隔操作情報セットを、この遠隔操作情報セットを識別するための識別情報とともに、異なる体系で複数記憶する記憶手段と、(23)
前記記憶手段に記憶された複数の前記遠隔操作情報セットのうちの１つを前記一の電子機器に設定する設定手段と、(23)
他の電子機器に対応する他の前記遠隔操作情報切換装置と通信する通信手段と、(6,26,22)
所定のタイミングで、前記他の電子機器のベンダー名を要求するベンダー名要求信号を、前記他の遠隔操作情報切換装置へ前記通信部を介して送信する第１の送信手段と、(6,26,22,23,S2)
前記ベンダー名要求信号に応じて前記他の遠隔操作情報切換装置から返信されるベンダー名通知信号を、前記通信手段を介して受信する受信手段と、(6,26,22,23,S3)
前記ベンダー名通知信号で通知された前記他の電子機器のベンダー名が、前記一の電子機器のベンダー名と一致しているか否かを判断する判断手段と、(23,S4)
前記判断手段が一致していると判断した場合、前記他の電子機器に設定されている前記遠隔操作情報セットを切換えるために、前記記憶手段に記憶している前記複数の遠隔操作情報セットのうち、前記一の電子機器に設定している遠隔操作情報セット以外の遠隔操作情報セットの識別情報を付加した遠隔操作情報セット切換要求信号を、前記他の遠隔操作情報切換装置へ前記通信手段を介して送信する第２の送信手段と、(6,26,22,23,S5〜7)
を備えることを特徴とする遠隔操作情報切換装置。
（２）遠隔操作情報切換装置であって、
一の前記遠隔操作情報切換装置に対応する一の電子機器が備える各機能を遠隔操作するための、前記各機能に対応した各遠隔操作情報で構成される遠隔操作情報セットを、この遠隔操作情報セットを識別するための識別情報とともに、異なる体系で複数記憶する記憶手段と、(23)
前記記憶手段に記憶された複数の前記遠隔操作情報セットのうちの１つを前記一の電子機器に設定する設定手段と、(23)
他の電子機器に対応する他の遠隔操作情報切換装置と通信する通信手段と、(6,26,22)
前記一の電子機器のベンダー名を要求するベンダー名要求信号を、前記他の電子機器から前記通信手段を介して受信する第１の受信手段と、(6,26,22,23,S2)
前記ベンダー名要求信号に応じて、前記一の電子機器のベンダー名を通知するベンダー名通知信号を、前記他の遠隔操作情報切換装置へ前記通信手段を介して送信する送信手段と、(6,26,22,23,S3)
前記一の電子機器に設定している遠隔操作情報セットを切換えるための遠隔操作情報セット切換要求信号を、前記他の遠隔操作情報切換装置から前記通信手段を介して受信する第２の受信手段と、(6,26,22,23,S6,S7)
前記一の電子機器に設定している遠隔操作情報セットを、前記記憶手段に記憶している複数の遠隔操作情報セットのうちの、前記遠隔操作情報セット切換要求信号に付加された識別情報に対応する前記遠隔操作情報セットに切換える切換手段と、(23)
を備えることを特徴とする遠隔操作情報切換装置。
【発明の効果】
【００１１】
本発明によれば、複数の電子機器へそれぞれ異なるコードセットを自動で設定することが可能となる。
【００１２】
従って、ユーザの操作上の負担を軽減させることが可能となる。
【図面の簡単な説明】
【００１３】
【図１】本発明の遠隔操作情報切換装置の実施形態を搭載した電子機器を含むシステムの構成例を説明する図である。
【図２】ＣＥＣコマンドのデータ構造の概要を示す図である。
【図３】本発明の実施形態を搭載したＤＶＤレコーダの内部構成を説明する図である。
【図４】本発明の実施形態のコードセットを切換える手順を説明するフローチャートである。
【図５】本発明の実施形態を搭載したＤＶＤレコーダのフロントパネルの構成を示す図である。
【図６】リモコンボタンの配置を説明する図である。
【発明を実施するための形態】
【００１４】
図１は、本発明の遠隔操作情報切換装置の実施形態を搭載した電子機器を含むシステムの構成例を説明する図である。
【００１５】
遠隔操作情報切換装置は、２台のＤＶＤレコーダ２、３に搭載されている。そして、この２台のＤＶＤレコーダ２、３は、ＨＤＭＩ(High-Definition Multimedia Interface)ケーブル６、７によってテレビ１とそれぞれ接続されている。
【００１６】
ＨＤＭＩケーブルを介した機器間でコマンド通信を行なうことで相手機器の制御を可能とする規格として、ＨＤＭＩ−ＣＥＣ(Consumer Electronics Control)がある。このＨＤＭＩ−ＣＥＣに対応した制御コマンド（以下、ＣＥＣコマンドと呼ぶ）を各機器に実装すれば、例えばテレビ側からＨＤＭＩケーブルで接続されたＤＶＤレコーダに対してＣＥＣコマンドを送信することによって、ＤＶＤレコーダの録画や再生の機能を制御することができる。また、複数のＤＶＤレコーダがテレビにＨＤＭＩケーブルで接続されていれば、テレビを経由して、ＤＶＤレコーダ同士でもＣＥＣコマンドの送受信が可能となる。
【００１７】
本発明では、ＣＥＣコマンドの規格で定められている以下の２つの機能を使用する。１．相手機器のベンダー（製造会社）名を知る機能。
【００１８】
この機能は、ＨＤＭＩ−ＣＥＣの規格で既に定められているＣＥＣコマンドを用いて実現可能である。なお、このＣＥＣコマンドは、特許請求の範囲におけるベンダー名要求信号、ベンダー名通知信号に相当する。
２．ベンダー独自のＣＥＣコマンドを定義できる機能。
【００１９】
この機能は、ベンダーが、自社で製造や販売をする電子機器の間でのみ使用可能となるＣＥＣコマンドを独自に定義できる機能である。この機能を使って、コードセットを切り換えるＣＥＣコマンドを定義する。なお、このＣＥＣコマンドは、特許請求の範囲における遠隔操作情報セット切換要求信号に相当する。
【００２０】
ＣＥＣコマンドのデータ構造の概要を図２に示す。
【００２１】
図２におけるオペコード５３のデータを０ｘ８９とすることによってベンダーが独自に定義したＣＥＣコマンドが使用可能となる。そして、ベンダーが独自に定義したＣＥＣコマンドは、図２における制御用データ５４に設定する。
【００２２】
本実施例では、この制御用データ５４に、例えば、０ｘ０１を設定した場合をコードセット「Ａ」に切り換える（設定する）ＣＥＣコマンドと定義し、０ｘ０２を設定した場合をコードセット「Ｂ」に切り換える（設定する）ように定義する。
＜内部構成＞
次に、遠隔操作情報切換装置を搭載したＤＶＤレコーダ２の内部構成を、図３を用いて説明する。なお、ＤＶＤレコーダ３も、このＤＶＤレコーダ２と同一の内部構成を有しているものとする。
【００２３】
図３は、ＤＶＤレコーダ２の内部構成を示すブロック図である。
【００２４】
このうち、遠隔操作情報切換装置は、太線枠で示されているシステム制御部２３、ＣＥＣ制御部２２、ＨＤＭＩ端子２６等を含んで構成される。
【００２５】
以下、遠隔操作情報切換装置に関係するブロックであるシステム制御部２３、ＣＥＣ制御部２２、ＨＤＭＩ端子２６、主電源ＳＷ２７の各ブロックについて説明する。なお、その他のブロックは、従来のＤＶＤレコーダの構成ブロックであり、本願発明とは関連が低いので説明は省略する。
【００２６】
ＨＤＭＩ端子２６は、ＨＤＭＩケーブル６によって外部機器と接続される。
【００２７】
また、ＨＤＭＩ端子２６は、映像、音声処理部２５と接続されており、映像・音声処理部２５で、生成されたデジタル映像信号とデジタル音声信号とを外部へ送信する。
【００２８】
さらに、ＨＤＭＩ端子２６は、ＣＥＣ制御部２２から入力されたＣＥＣコマンドを外部へ送信するとともに、外部から受信したＣＥＣコマンドをＣＥＣ制御部２２へ出力する。
【００２９】
ＣＥＣ制御部２２は、ＨＤＭＩ端子２６から入力されたＣＥＣコマンドの内容を解析して、その解析結果をシステム制御部２３へ出力する。
【００３０】
また、ＣＥＣ制御部２２は、システム制御部２３から入力されたＣＥＣコマンドの出力指示に従って、出力指示を受けたＣＥＣコマンドを生成してＨＤＭＩ端子２６へ出力する。
【００３１】
システム制御部２３は、複数のコードセット（例えば「Ａ」と「Ｂ」）を内部メモリ等の記憶部に備えている。そして、このうちの一つを実際に使用するコードセットとして設定し、このコードセットでリモコン４からの遠隔操作を受ける。なお、このコードセットは、特許請求の範囲における遠隔操作情報セットに相当する。また、コードセットを構成する各リモコンコードは、特許請求の範囲における遠隔操作情報に相当する。また、コードセットを識別する「Ａ」「Ｂ」は、特許請求の範囲における識別情報に相当する。
【００３２】
そして、ＣＥＣ制御部２２からコードセット切換えの指示を受けたら、それ以前に設定されていたコードセットを、その指示を受けたコードセットに切換え、これ以降はこの切換えたコードセットを用いてリモコン４からの遠隔操作を受ける。
【００３３】
主電源ＳＷ２７は、ユーザ操作を受けて主電源の入切を行なう。なお、主電源や主電源の供給ラインの図示は省略する。
【００３４】
なお、本実施形態は、遠隔操作情報切換装置がＤＶＤレコーダ２に含まれる場合の例である。しかし、遠隔操作情報切換装置とＤＶＤレコーダ２とは必ずしも一体である必要は無くそれぞれが独立していても構わない。この場合は、遠隔操作情報切換装置とＤＶＤレコーダ２が任意のインターフェースで接続される構成となる。
＜コードセット切り換え手順＞
次に、上記した２つのＣＥＣコマンドの機能を用いてコードセットを切換える手順を、図４のフローチャートを用いて説明する。なお、このフローチャートの動作の主体は、特に主語の記載が無い場合はシステム制御部２３である。
【００３５】
システム制御部２３は、電源ＯＮに対応するリモコンコードが入力されるまで待機する（ステップＳ１：ＮＯのループ）。
【００３６】
ユーザがリモコン４によってＤＶＤレコーダ２の電源をＯＮする操作が行なわれると、リモコン４から送信された電源ＯＮに対応するリモコンコードは、リモコンセンサ２４を介してシステム制御部２３に入力される。
【００３７】
システム制御部２３は、電源ＯＮに対応するリモコンコードが入力されたら（ステップＳ１：ＹＥＳ）、ＤＶＤレコーダ内の各構成ブロックに電源を供給するよう制御するとともに、ＤＶＤレコーダ３に対して、ベンダー名を問い合わせるためのＣＥＣコマンドを送信する（ステップＳ２）。
【００３８】
ＤＶＤレコーダ３から送信されるベンダー名を通知するためのＣＥＣコマンドを受信するまで待機する（ステップＳ３：ＮＯのループ）。
【００３９】
ＤＶＤレコーダ３から送信されるベンダー名を通知するためのＣＥＣコマンドを受信したら（ステップＳ３：ＹＥＳ）、システム制御部２３は、受信したＤＶＤレコーダ３のＣＥＣコマンドで示されるベンダー名が自機（ＤＶＤレコーダ２）のベンダー名と同じか否か判断する（ステップＳ４）。
【００４０】
ベンダー名が異なる場合（ステップＳ４：ＮＯ）は、処理を終了する。
【００４１】
ベンダー名が同じ場合（ステップＳ４：ＹＥＳ）は、次に、システム制御部２３は、自機（ＤＶＤレコーダ２）で使用しているコードセットが「Ａ」か否かを確認する（ステップＳ５）。
【００４２】
自機（ＤＶＤレコーダ２）で使用しているコードセットが「Ａ」の場合（ステップＳ５：ＹＥＳ）は、ＤＶＤレコーダ３に対して、コードセットを「Ｂ」に切換えるＣＥＣコマンドを送信する（Ｓ６）。
【００４３】
自機（ＤＶＤレコーダ２）で使用しているコードセットが「Ａ」でない場合（ステップＳ５：ＮＯ）は、ＤＶＤレコーダ３に対して、コードセットを「Ａ」に切換えるＣＥＣコマンドを送信する（Ｓ７）。
【００４４】
なお、フローチャートでは説明しないが、ＤＶＤレコーダ３は、上記手順に対応して、ＤＶＤレコーダ２からベンダー名を問い合わせるためのＣＥＣコマンドを受信したら、自機のベンダー名を、ベンダー名を通知するＣＥＣコマンドでＤＶＤレコーダ２へ通知する。
【００４５】
また、ＤＶＤレコーダ２から、コードセットを切換えるＣＥＣコマンドを受信したら、ＤＶＤレコーダ３は、このＣＥＣコマンドで切換え要求されたコードセットに切換える。
【００４６】
以上の手順によって、図１のようにＤＶＤレコーダ２がリモコン４から送信される「コードセットＡ」で動作し、ＤＶＤレコーダ３がリモコン５から送信される「コードセットＢ」で動作させることができる。
【００４７】
なお、この時、リモコン４、５のコードセットＡ／Ｂの切換えはユーザが手動で行う必要がある。
【００４８】
このユーザによるリモコン４、５へのコードセットの切り替え操作を容易にさせるための方法としては、例えば、以下のようなものが考えられる。
１．ＤＶＤレコーダ２本体の表示窓２００にコードセットの設定状態を表示する機能を備える。図５は、この機能を備えたＤＶＤレコーダ２にフロントパネルの構成例を示した図である。表示部２００に表示されている「Ａ」がコードセットを示している。
【００４９】
そして、コードセットが切換わったことをユーザに通知するため、システム制御部２３は、コードセットを切換えてから、切換えたコードセットの最初のリモコンコードを受信するまで、例えば、このコードセットの表示を点滅させたり、通常時の表示色と異なる表示色にしたりする。
【００５０】
これにより、ユーザは、ＤＶＤレコーダ２のコードセットが切換えられていることを認識できる。
【００５１】
また、接続されているテレビに、オンスクリーンディスプレイを用いて上記と同様の内容を表示しても良い。
【００５２】
なお、以上の説明は、２台のＤＶＤレコーダ２、３それぞれに対応する２台のリモコン４、５によって遠隔操作する例であるが、１台のリモコン４のみで２台のＤＶＤレコーダ２、３を遠隔操作することも可能である。
【００５３】
この場合は、例えば、図６に示すようにリモコン４のコードセットを「Ａ」に切換えるためのＡボタン４１と、「Ｂ」に切換えるためのＢボタン４２とを備えるリモコンを使用すれば良い。
【００５４】
また、以上の説明では、コードセットの切換えタイミングを、リモコンからの電源ＯＮのタイミングとしたが、これ以外に、主電源ＳＷ２７が電源ＯＮされたタイミングとしても良いのはもちろんであるし、他のどのようなタイミングでも構わない。
【００５５】
また、ＣＥＣコマンドの送受信は、ＤＶＤレコーダ２、３間のみで行うので、必ずしもテレビ１に専用のＣＥＣコマンドを実装する必要はない。
【００５６】
また、ＤＶＤレコーダ２、３という電子機器が２台の場合を説明したが、３台以上の場合も本発明を適用可能である。この場合は、最後に電源ＯＮされた電子機器の遠隔操作情報切換装置が、他に複数の電子機器の遠隔操作情報切換装置へ、自装置が設定しているコードセット以外で、かつ互いに異なるコードセットへ切り換えるＣＥＣコマンドをそれぞれ送信する構成となる。
【００５７】
また、電子機器間のインターフェースとして、ＨＤＭＩを使用する例を説明したが、インターフェースはこれに限らず、例えばＬＡＮやＵＳＢ等、どのようなものでも良い。
【００５８】
本発明は、従来から行なわれてきた「受信したリモコンコードを変換して他の電子機器に送る」という発想のものではなく、「従来から機器に予め備えられているコードセットを自動で切換える」という発想のものである。従って電子機器に付属のリモコンをそのまま使用できるという利点がある、また、機能が制約されることもない。
【００５９】
なお、本発明は上記した装置の機能をコンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【符号の説明】
【００６０】
１  テレビ
２  ＤＶＤレコーダ
３  ＤＶＤレコーダ
４  リモコン
５  リモコン
６  ＨＤＭＩケーブル
７  ＨＤＭＩケーブル
２１  映像・音声記録部
２２  ＣＥＣ制御部
２３  システム制御部
２４  リモコンセンサ
２５  映像・音声記録部
２６  ＨＤＭＩ端子
２７  主電源スイッチ
２００  表示窓
【図１】
2011193234.tif 000003
【図２】
2011193234.tif 000004
【図３】
2011193234.tif 000005
【図４】
2011193234.tif 000006
【図５】
2011193234.tif 000007
【図６】
2011193234.tif 000008